【手続補正書】
【提出日】平成20年6月24日(2008.6.24)
【手続補正１】
【補正対象書類名】明細書
【補正対象項目名】発明の名称
【補正方法】変更
【補正の内容】
【発明の名称】スクロール式流体機械およびその組立て方法
【手続補正２】
【補正対象書類名】明細書
【補正対象項目名】特許請求の範囲
【補正方法】変更
【補正の内容】
【特許請求の範囲】
【請求項１】 下部側が冷却、潤滑用の油液を溜める油槽となったケーシングと、
該ケーシングに設けられ、鏡板に渦巻状のラップ部が立設された固定スクロールと、
前記ケーシングに回転可能に設けられ、先端側がクランクとなった駆動軸と、
鏡板の背面側に該駆動軸のクランクに旋回可能に取付けられるボス部を有し、鏡板の前面側に前記固定スクロールのラップ部と重なり合って複数の圧縮室を画成するラップ部が立設された旋回スクロールと、
前記旋回スクロールの自転を防止するため、前記ケーシングと前記旋回スクロールとの間に嵌合する自転防止機構と、
前記ケーシングの油槽内に溜った油液を吸込み該油液を冷却、潤滑を必要とする部位に供給するため、前記ケーシングと旋回スクロールのいずれか一方の部材に設けられたポンプ室および該ポンプ室に嵌合して他方の部材に設けられ吸込室と吐出室との間を画成する可動隔壁を駆動する旋回子を有する給油ポンプとを備えてなるスクロール式流体機械において、
前記旋回スクロールを前記ケーシング側に取付けるとき、前記旋回スクロールのボス部と前記駆動軸のクランクとの間と、前記給油ポンプの旋回子とポンプ室との間と、前記ケーシングと前記旋回スクロールとの間に設けられた前記自転防止機構との関係は、
最初に前記旋回スクロールのボス部を前記駆動軸のクランクに嵌合し、次に前記給油ポンプの旋回子をポンプ室に嵌合し、最後に前記ケーシングと前記旋回スクロールとの間に前記自転防止機構を嵌合する関係としたことを特徴とするスクロール式流体機械。
【請求項２】  下部側が冷却、潤滑用の油液を溜める油槽となったケーシングと、
該ケーシングに設けられ、鏡板に渦巻状のラップ部が立設された固定スクロールと、
前記ケーシングに回転可能に設けられ、先端側がクランクとなった駆動軸と、
鏡板の背面側に該駆動軸のクランクに旋回可能に取付けられるボス部を有し、鏡板の前面側に前記固定スクロールのラップ部と重なり合って複数の圧縮室を画成するラップ部が立設された旋回スクロールと、
前記旋回スクロールの自転を防止するため、前記ケーシングと前記旋回スクロールとの間に嵌合する自転防止機構と、
前記ケーシングの油槽内に溜った油液を吸込み該油液を冷却、潤滑を必要とする部位に供給するため、前記ケーシングと旋回スクロールのいずれか一方の部材に設けられたポンプ室および該ポンプ室に嵌合して他方の部材に設けられ吸込室と吐出室との間を画成する可動隔壁を駆動する旋回子を有する給油ポンプとを備えてなるスクロール式流体機械の組立て方法において、
前記旋回スクロールを前記ケーシング側に取付けるときには、最初に前記旋回スクロールのボス部を前記駆動軸のクランクに嵌合し、次に前記給油ポンプの旋回子をポンプ室に嵌合し、最後に前記ケーシングと前記旋回スクロールとの間に前記自転防止機構を嵌合することを特徴とするスクロール式流体機械の組立て方法。
【手続補正３】
【補正対象書類名】明細書
【補正対象項目名】０００１
【補正方法】変更
【補正の内容】
【０００１】
【発明の属する技術分野】
本発明は、空気圧縮機、真空ポンプ等に用いて好適なスクロール式流体機械およびその組立て方法に関する。
【手続補正４】
【補正対象書類名】明細書
【補正対象項目名】０００８
【補正方法】変更
【補正の内容】
【０００８】
本発明は上述した従来技術の問題に鑑みなされたもので、本発明の目的は、旋回スクロールをケーシング側に取付けるときに、自転防止機構、給油ポンプを容易に形成することができ、組立時の作業性を向上できるようにしたスクロール式流体機械およびその組立て方法を提供することにある。
【手続補正５】
【補正対象書類名】明細書
【補正対象項目名】０００９
【補正方法】変更
【補正の内容】
【０００９】
【課題を解決するための手段】
本発明によるスクロール式流体機械は、下部側が冷却、潤滑用の油液を溜める油槽となったケーシングと、該ケーシングに設けられ、鏡板に渦巻状のラップ部が立設された固定スクロールと、前記ケーシングに回転可能に設けられ、先端側がクランクとなった駆動軸と、鏡板の背面側に該駆動軸のクランクに旋回可能に取付けられるボス部を有し、鏡板の前面側に前記固定スクロールのラップ部と重なり合って複数の圧縮室を画成するラップ部が立設された旋回スクロールと、前記旋回スクロールの自転を防止するため、前記ケーシングと前記旋回スクロールとの間に嵌合する自転防止機構と、前記ケーシングの油槽内に溜った油液を吸込み該油液を冷却、潤滑を必要とする部位に供給するため、前記ケーシングと旋回スクロールのいずれか一方の部材に設けられたポンプ室および該ポンプ室に嵌合して他方の部材に設けられ吸込室と吐出室との間を画成する可動隔壁を駆動する旋回子を有する給油ポンプとを備えている。
【手続補正６】
【補正対象書類名】明細書
【補正対象項目名】００１０
【補正方法】変更
【補正の内容】
【００１０】
そして、上述した課題を解決するために、請求項１，２の発明が採用する構成の特徴は、旋回スクロールをケーシング側に取付けるときには、最初に旋回スクロールのボス部を駆動軸のクランクに嵌合し、次に給油ポンプの旋回子をポンプ室に嵌合し、最後にケーシングと旋回スクロールとの間に自転防止機構を嵌合する構成としたことにある。
【手続補正７】
【補正対象書類名】明細書
【補正対象項目名】００１１
【補正方法】変更
【補正の内容】
【００１１】
このように構成したことにより、旋回スクロールをケーシング側に取付けるときには、最初に旋回スクロールのボス部を駆動軸のクランクに嵌合させる。この状態では、旋回スクロールはクランクを中心にして回転することができるから、作業者は、旋回スクロールを手で回転方向に移動して位置調整を行うことにより、給油ポンプの旋回子をポンプ室に容易に嵌合することができる。ここで、自転防止機構は旋回スクロールの旋回動作内で該旋回スクロールの自転を防止するもので、ガイド溝と突起とが嵌合する位置は旋回スクロールの旋回動作内に存在する。従って、駆動軸を手で少しずつ回し旋回スクロールを徐々に旋回させることにより、該旋回スクロールを自転防止機構に位置合わせすることができ、旋回スクロールと自転防止機構とを簡単に嵌合することができる。
【手続補正８】
【補正対象書類名】明細書
【補正対象項目名】００５０
【補正方法】変更
【補正の内容】
【００５０】
【発明の効果】
以上詳述した通り、請求項１，２の発明によれば、旋回スクロールをケーシング側に取付けるときには、最初に旋回スクロールのボス部を駆動軸のクランクに嵌合し、次に給油ポンプの旋回子をポンプ室に嵌合し、最後にケーシングと旋回スクロールとの間に自転防止機構を嵌合する構成としている。従って、旋回スクロールをケーシング側に取付けるときには、最初に旋回スクロールのボス部を駆動軸のクランクに嵌合させる。この状態では、旋回スクロールはクランクを中心にして回転することができるから、作業者は、旋回スクロールを手で回転方向に移動して位置調整を行うことにより給油ポンプの旋回子をポンプ室に容易に嵌合することができ、給油ポンプを容易に形成することができる。ここで、自転防止機構は旋回スクロールの自転を防止するもので、自転防止機構が嵌合する位置は旋回スクロールの旋回動作内に存在する。従って、駆動軸を手で少しずつ回し旋回スクロールを徐々に旋回させることにより、旋回スクロールを自転防止機構に位置合わせして簡単に嵌合することができ、自転防止機構を容易に形成することができる。この結果、スクロール式空気圧縮機の組立作業性を向上することができ、生産性の向上、製造コストの低減等を図ることができる。